(57)【要約】【課題】画像形成装置に読み込まれた文書を、文書の特性に応じて処理する画像形成装置、画像管理システム、及び画像管理プログラムを提供する。【解決手段】  画像形成装置１０の利用者は、運転免許証などの文書と、読み込ませる文書の特徴が書き込まれているガイドを原稿台１１にセットし、読み取り開始を行う。画像形成装置１０は、原稿台１１にセットされた合成文書の画像データをモード管理サーバ２０に送信する。モード管理サーバ２０は、合成文書の画像データを受信すると合成文書の画像データから文書とガイトを分離させ、更にガイドから画像形成装置１０の処理を選択するモードを決定する。モード管理サーバ２０は、決定したモードと分離させた文書の画像データを画像形成装置１０に送信する。画像形成装置１０は、モードと文書の画像データを受信すると、受信したモードにおいて選択されている処理を順番に実行する。【選択図】  図１
2010147821.tif 000002
【特許請求の範囲】
【請求項１】
読み取った文書に対する処理を実行する画像形成装置であって、
前記文書と文書の特徴を示すガイドを同時に読み取る合成文書読取手段と、
前記ガイドの特徴からモードを決定するモード決定手段と、
前記モード決定手段で決定したモードに対応づけられた処理を実行する実行手段とを備えることを特徴とする画像形成装置。
【請求項２】
前記画像形成装置が備えているモードに対応づけられた処理の情報を記憶する記憶手段を備えることを特徴とする請求項１に記載の画像形成装置。
【請求項３】
前記モードに対応づけられた前記ガイドの特徴画像を記憶する記憶手段を備えることを特徴とする請求項１に記載の画像形成装置。
【請求項４】
前記合成文書読取手段は、前記ガイドに付加されている地紋印刷またはニ次元バーコードを文書の特徴として読み取ることを特徴とする請求項１から請求項３のいずれか一項に記載の画像形成装置。
【請求項５】
ネットワークに接続されている画像形成装置が読み取った文書に対する処理を行う画像管理装置システムであって、
前記文書と文書の特徴を示すガイドを同時に読み取る合成文書読取手段と、
前記ガイドの特徴からモードを決定するモード決定手段と、
前記モード決定手段で決定したモードに対応づけられた処理を実行する実行手段とを備えることを特徴とする画像管理システム。
【請求項６】
画像形成装置に搭載されるコンピュータに実行させる画像管理システムの合成文書処理プログラムと、モード管理サーバに搭載されるコンピュータに実行させる画像管理システムのモード決定処理プログラムを含む画像管理プログラムであって、
前記画像形成装置に搭載されるコンピュータに、
文書と文書の特徴を示すガイドを同時に読み取る合成文書読取ステップを前記合成文書処理プログラムにより実行させ、
前記モード管理サーバに、
前記ガイドの特徴からモードを決定するモード決定ステップを前記モード決定処理プログラムにより実行させ、
前記画像形成装置に搭載されるコンピュータに、
前記モード決定ステップで決定したモードに対応づけられた処理を、前記画像形成装置が読み取る文書に対して実行させることを特徴とする画像管理プログラム。
【発明の詳細な説明】
【技術分野】
【０００１】
本発明は、画像形成装置及び画像管理システムに係わり、特に画像形成装置が読み込む文書の特性に応じて画像形成装置が処理を実行することができる画像形成装置及び画像管理システムに関する。
【背景技術】
【０００２】
近年、企業や公的機関においては、プリンタやＭＦＰ（Ｍｕｌｔｉｆｕｎｃｔｉｏｎ  Ｐｅｒｉｐｈｅｒａｌ：複合機）等の画像形成装置が普及している。これら画像形成装置は、大勢の人が働いている企業や公的機関などに設置され、画像形成装置の各種の機能や処理が頻繁に利用されている。また、企業や公的機関などにおいては、画像形成装置をある特定の文書を処理するためにも利用している。例えば、伝票、運転免許証、保険証など文書の処理では、これらの文書を決められた手順で処理を行わなければならない。しかし、これらの文書を取り扱う担当者が替わると処理の順番を間違え、また企業や公的機関の機密情報などのセキュリティを尊守しなければならない文書を、他の一般文書と認識して誤ってＦＡＸやメールで送信してしまうことがあった。
【０００３】
画像形成装置にある特定の処理のみを実行させるために、利用者が画像形成装置を使用するときにＩＣカードに読み込ませたり、または利用者ＩＤやパスワードを設定することにより利用者を識別し、その利用者ごとに画像形成装置にある特定の処理だけを実行させる方法がある。例えば、特許文献１を参照すると、特許文献１による複写機の操作モード設定装置は、操作者が入力手段から自己のコードあるいはそのコードに対応する固有情報を入力すると、それから判別されるコードと操作モード情報記憶手段に記憶している固有コードとが一致するか否かを判断し、一致すれば複写機の複写禁止を解除して、操作モード情報記憶手段からその固有コードと関連づけて記憶されている複写機の特定の操作モードの情報を読み出して複写機の操作モードを設定することで、各操作者が設定できる操作モードの範囲の処理を実行することが可能となる技術が記載されている（以下、従来技術１とする）。
【特許文献１】特開平０５−８８４２５号公報
【発明の開示】
【発明が解決しようとする課題】
【０００４】
上記従来技術１では、操作者が入力手段から自己のコードあるいはそのコードに対応する固有情報を入力することで、各操作者が設定できる操作モードの範囲の処理を実行することができる。しかし、このような機能を画像形成装置に設けた場合であっても、画像形成装置が読み込む特定の文書に対して、画像形成装置が特定の処理を実行することができないという問題があった。
【０００５】
本発明は、このような状況に鑑みてなされたものであり、上記の課題を解消することができる画像形成装置及び画像管理システムを提供することを目的とする。
【課題を解決するための手段】
【０００６】
本発明の画像形成装置は、読み取った文書に対する処理を実行する画像形成装置であって、前記文書と文書の特徴を示すガイドを同時に読み取る合成文書読取手段と、前記ガイドの特徴からモードを決定するモード決定手段と、前記モード決定手段で決定したモードに対応づけられた処理を実行する実行手段とを備えることを特徴としている。
また、本発明の画像形成装置は、前記画像形成装置が備えているモードに対応づけられた処理の情報を記憶する記憶手段を備えていても良い。
また、本発明の画像形成装置は、前記モードに対応づけられた前記ガイドの特徴画像を記憶する記憶手段を備えていても良い。
また、前記構成文書読取手段は、前記ガイドに付加されている地紋印刷またはニ次元バーコードを文書の特徴として読み取っても良い。
本発明の画像管理システムは、ネットワークに接続されている画像形成装置が読み取った文書に対する処理を行う画像管理装置システムであって、前記文書と文書の特徴を示すガイドを同時に読み取る合成文書読取手段と、前記ガイドの特徴からモードを決定するモード決定手段と、前記モード決定手段で決定したモードに対応づけられた処理を実行する実行手段とを備えることを特徴としている。
本発明の画像管理プログラムは、画像形成装置に搭載されるコンピュータに実行させる画像管理システムの合成文書処理プログラムと、モード管理サーバに搭載されるコンピュータに実行させる画像管理システムのモード決定処理プログラムを含むことを特徴としている。ここで、前記合成文書処理プログラムは、前記画像形成装置に搭載されるコンピュータに、文書と文書の特徴を示すガイドを同時に読み取る合成文書読取ステップを実行させる。更に、前記モード決定処理プログラムは、前記モード管理サーバに、前記ガイドの特徴からモードを決定するモード決定ステップを実行させることで、前記画像管理プログラムは、画像形成装置に搭載されるコンピュータに前記モード決定ステップで決定したモードに対応づけられた前記画像形成装置が読み取る文書に対する処理を実行させる。
【発明の効果】
【０００７】
本発明の画像形成装置及び画像管理システムは、このような問題に対処するために、画像形成装置が読み込む特定の文書に対して、画像形成装置が特定の処理を実行するので、利用者毎に処理や処理手順が異なることなく、また利用者が意識することなく適切な処理を行うことができる。
【発明を実施するための最良の形態】
【０００８】
＜実施の形態＞
（画像管理システムの構成）
図１を参照して、本発明の実施の形態に係る画像管理システムのシステム構成と処理手順について説明する。本発明の実施の形態に係る画像管理システムは、画像形成装置１０とモード管理サーバ２０で構成され、画像形成装置１０とモード管理サーバ２０は、ネットワーク３０で接続されている。
画像形成装置１０は、プリンタ、ＭＦＰ等である。
モード管理サーバ２０は、画像形成装置１０が読み込んだ文書についてどの処理を実行するかの選択(以下、モードという)を決定するサーバである。
画像形成装置１０の利用者は、運転免許証、健康保健証、及びパスポートなどの文書を原稿台１１にセットし、読み込ませる文書の特徴が地紋や二次元バーコードなどで書き込まれている定型的な用紙(以下、ガイドという)を更に原稿台１１にセットし、読み取り開始を行う。ガイドには、外側に沿って枠が設けられ、ガイドの画像部分が検出できるようになっている。次に、画像形成装置１０は、原稿台１１にセットされた文書とガイドを合成した文書(以下、合成文書という)の画像データをモード管理サーバ２０に送信する。モード管理サーバ２０は、合成文書の画像データを受信すると合成文書の画像データから文書とガイトを分離させ、更にガイドからモードを決定する。そして、モード管理サーバ２０は、決定したモードと分離させた文書の画像データを画像形成装置１０に送信する。画像形成装置１０は、モードと文書の画像データをモード管理サーバ２０から受信すると、受信したモードに従って画像形成装置１０は処理を実行する。例えば、ガイドＡが伝票モードであれば、画像形成装置１０は受信した画像データについて伝票処理のプログラムを実行。また、ガイドＢが運転免許証モードであれば、画像形成装置１０は受信した画像データについて運転免許証処理のプログラムを実行する。
【０００９】
図２を参照して、画像形成装置１０とモード管理サーバ２０の機能構成について説明する。
【００１０】
まず、画像形成装置１０について説明する。図２に示すように画像形成装置１０は、それぞれ各機能のまとまりである機能部位であるところの画像形成装置制御部１１０と、画像形成装置補助記憶部１２０、画像形成装置データ保存部１３０、操作パネル１４０、操作パネル処理部１５０、原稿読取部１６０、画像形成部１７０、及び画像形成装置ネットワーク通信部１８０等を備えている。画像形成装置制御部１１０と、画像形成装置補助記憶部１２０、画像形成装置データ保存部１３０、操作パネル１４０、操作パネル処理部１５０、原稿読取部１６０、画像形成部１７０、及び画像形成装置ネットワーク通信部１８０は、これら各部位を接続するバスなどにより接続される構成となっている。
【００１１】
画像形成装置制御部１１０は、ＲＡＭやＲＯＭ等の主記憶手段、及びＭＰＵ(Micro Processing Unit)やＣＰＵ(Central Processing Unit)等の制御手段を備えている。また、画像形成装置制御部１１０は、各種Ｉ／Ｏや、ＵＳＢ（ユニバーサル・シリアル・バス）等のインターフェース、バスコントローラ等を含む総合的な画像形成装置１０のコントロールを行う部位である。画像形成装置制御部１１０には、画像形成装置１０の原稿台１１から読み込んだ合成文書を管理する合成文書処理部１１０ａを備えている。
【００１２】
画像形成装置補助記憶部１２０は、フラッシュメモリ等からなる補助記憶装置で、画像形成装置制御部１１０が実行する処理のプログラムやデータを記憶する部位である。画像形成装置補助記憶部１２０には、図３に示す処理リストテーブル１２０ａと図４に示すモード処理テーブル１２０ｂが記憶されている。処理リストテーブル１２０ａとモード処理テーブル１２０ｂの構成については、後述する。
【００１３】
画像形成装置データ保存部１３０は、データやプログラムを保存するハードディスクドライブで、原稿読取部１６０から読み取った文書の画像データを保存する必要があるときに、保存する文書画像データ保存エリア１３０ａを備えている。
【００１４】
操作パネル１４０は、操作メニューの表示、利用者の指による操作を受け付ける部位である。
【００１５】
操作パネル処理部１５０は、画像形成装置制御部１１０からの要求により印刷可能な画像イメージや画像形成装置１０が備えている機能の操作項目を操作パネル１４０に表示する処理、操作パネル１４０から利用者の操作データを入力する処理を行う部位である。
【００１６】
原稿読取部１６０は、図１に示す画像形成装置１０の原稿台１１にセットされた合成文書の読み取りを行う部位で、利用者が操作パネル１４０から読み取り要求を行うことにより合成文書の読み取りを行うことができる部位である。
【００１７】
画像形成部１７０は、利用者から読み取り要求があった合成文書を印刷可能な画像イメージに変換を行う部位である。
【００１８】
画像形成装置ネットワーク通信部１８０は、ネットワーク３０に接続するための、着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００１９】
次に、モード管理サーバ２０について説明する。図２に示すようにモード管理サーバ２０は、それぞれ各機能のまとまりである機能部位であるところのモード管理サーバ制御部２１０と、モード管理サーバ補助記憶部２２０、モード管理サーバデータ保存部２３０、及びモード管理サーバネットワーク通信部２４０を備えている。モード管理サーバ制御部２１０と、モード管理サーバ補助記憶部２２０と、モード管理サーバデータ保存部２３０と、モード管理サーバネットワーク通信部２４０は、これら各部位を接続するバスなどにより接続される構成となっている。
【００２０】
モード管理サーバ制御部２１０は、ＲＡＭやＲＯＭ等の主記憶手段、及びＭＰＵやＣＰＵ等の制御手段を備えている。モード管理サーバ制御部２１０には、画像形成装置１０から送信される合成文書の画像データのガイドからモードを決定するモード決定処理部２１０ａを備えている。
【００２１】
モード管理サーバ補助記憶部２２０は、フラッシュメモリ等からなる補助記憶装置で、モード管理サーバ制御部２１０が実行する処理のプログラムやデータを記憶する部位である。モード管理サーバ補助記憶部２２０には、図５に示すモード管理テーブル２２０ａが記憶されている。モード管理テーブル２２０ａの構成については、後述する。
【００２２】
モード管理サーバデータ保存部２３０は、データやプログラムを保存するハードディスクドライブで、ガイドの特徴を示す画像であるガイド特徴画像データが保存されているガイド特徴画像データ保存エリア２３０ａを備えている。
【００２３】
モード管理サーバネットワーク通信部２４０は、ネットワーク３０に接続するための、着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２４】
図３を参照して、処理リストテーブル１２０ａについて説明する。処理リストテーブル１２０ａは、図３に示すように処理Ｎｏ．と処理Ｎｏ．に対応する処理名称が登録されているテーブルである。処理名称とは、画像形成装置１０が備えているプログラムまたは機能の名称である。例えば、処理Ｎｏ．００１には伝票処理が設定されているので、処理Ｎｏ．００１が選択されたときには、伝票処理のプログラムが実行される。また、処理Ｎｏ．００５にはモノクロコピー処理が設定されているので、処理Ｎｏ．００５が選択されたときには、モノクロコピー処理が実行される。
【００２５】
図４を参照してモード処理テーブル１２０ｂの構成について説明する。モード処理テーブル１２０ｂは、図４に示すようにモードに対応して選択される一つ以上の処理Ｎｏ．が設定されているテーブルである。モードは、文書毎にモード管理サーバ２０がガイドに基づいて決定し、文書毎にモード管理サーバ２０から送信されるもので、画像形成装置１０が読み込んだ文書に対応して選択する処理や機能を定義するためのものである。処理フラグはモード毎に実行する処理を示すもので、処理Ｎｏ．は、図３に示す処理リストテーブル１２０ａの処理Ｎｏ．に対応している。処理を実行するときは、その処理に該当する処理Ｎｏ．に対応する処理フラグに１がセットされ、処理を実行しないときは、該当する処理Ｎｏに対応する処理フラグには０がセットされる。例えば、図４に示すモード処理テーブル１２０ｂの運転免許証モードであれば、処理フラグの「００２」がセットされているので、図３の処理リストテーブル１２０ａを参照すると処理Ｎｏ．００２の処理名称には「運転免許証処理」が設定されている。この結果、運転免許証モードであれば、運転免許証処理のプログラムが実行され、それ以外の処理は実行されないことになる。
【００２６】
図５を参照して、モード管理テーブル２２０ａの構成について説明する。図５に示すようにモード管理テーブル２２０ａは、Ｎｏ.、モード、及びガイド特徴画像データ保存エリアのアドレスが設定され、ガイドの追加、削除が発生した場合に更新されるテーブルである。Ｎｏ.は、昇順に付けられた番号で、モード管理テーブル２２０ａに設定されるモードとガイド特徴画像データ保存エリアのアドレスに対応して付けられている番号である。モードは、図４に示すモード処理テーブル１２０ｂのモードに同じである。ガイド特徴画像データ保存エリアのアドレスには、モード管理サーバ２０がガイドの特徴である画像データを、ガイド特徴画像データ保存エリア２３０ａに保存したときに、その保存したアドレスが設定される。モード管理テーブル２２０ａは、ガイドの特徴であるガイド特徴画像データとモードを対応付けて、予め作成されているテーブルである。
【００２７】
図６は、本発明の実施の形態である画像形成装置制御部１１０の合成文書処理部１１０ａが実行する合成文書処理の流れを示すフローチャートである。図６の合成文書処理フローチャートを参照して、合成文書処理手順を説明する。
【００２８】
利用者が原稿台１１に文書とガイドの合成文書をセットし、操作パネル１４０から読み取り開始を指示すると、原稿読取部１６０が合成文書を読み取り、画像形成部１７０に出力する。画像形成部１７０は合成文書の画像データを形成し、画像データを形成したことを画像形成装置制御部１１０に通知する。更に、画像形成装置制御部１１０は、画像形成部１７０から受信した通知を合成文書処理部１１０ａに通知する。この通知により合成文書処理部１１０ａは、合成文書処理を開始する。
【００２９】
（ステップＳ１０）
合成文書処理部１１０ａは、画像形成部１７０から合成文書の画像データを入力する。
【００３０】
（ステップＳ１１）
合成文書処理部１１０ａは、ステップＳ１０で入力した合成文書の画像データをモード管理サーバ２０に送信するために、この合成文書の画像データを画像形成装置ネットワーク通信部１８０に出力する。画像形成装置ネットワーク通信部１８０は、合成文書処理部１１０ａから出力された合成文書の画像データをモード管理サーバ２０に送信する。
【００３１】
（ステップＳ１２）
合成文書処理部１１０ａは、モード管理サーバ２０からモードと文書の画像データを受信するまで、予め決められた一定時間を待ち状態とする。
【００３２】
（ステップＳ１３）
合成文書処理部１１０ａは、画像形成装置ネットワーク通信部１８０に対してモード管理サーバ２０からモードと文書の画像データを受信したかを判定する。画像形成装置ネットワーク通信部１８０が受信している(ステップＳ１３のＹｅｓ)ときは、合成文書処理部１１０ａは画像形成装置ネットワーク通信部１８０からモードと文書の画像データを入力するステップＳ１４に進む。また、画像形成装置ネットワーク通信部１８０が受信していない(ステップＳ１３のＮｏ)ときは、再度一定時間を待ち状態とするためにステップＳ１２に戻る。
【００３３】
（ステップＳ１４）
合成文書処理部１１０ａは、画像形成装置ネットワーク通信部１８０からモードと文書の画像データを取得する。
【００３４】
（ステップＳ１５）
合成文書処理部１１０ａは、処理Ｎｏ．のインデックス（Ｉ）に初期値「００１」をセットする。
【００３５】
（ステップＳ１６）
合成文書処理部１１０ａは、図４に示すモード処理テーブル１２０ｂを参照してステップＳ１４で取得したモードに該当するインデックス（Ｉ）の処理フラグに「１」がセットされているか判定する。モードに該当するインデックス（Ｉ）の処理フラグに「１」がセットされている(ステップＳ１６のＹｅｓ)ときは、合成文書処理部１１０ａは、処理Ｎｏ．に該当する処理名称を取り出すステップＳ１７に進む。また、モードに該当するインデックス（Ｉ）の処理フラグに「０」がセットされている(ステップＳ１６のＮｏ)ときは、全ての処理フラグについてチェック済みであるかを判定するステップＳ１９に進む。
【００３６】
（ステップＳ１７）
合成文書処理部１１０ａは、図３に示す処理リストテーブル１２０ａを参照して処理Ｎｏ．に該当する処理名称を取り出す。
【００３７】
（ステップＳ１８）
合成文書処理部１１０ａは、ステップＳ１７で取り出した処理名称に対応する処理を実行するように画像形成装置制御部１１０に要求する。
【００３８】
（ステップＳ１９）
合成文書処理部１１０ａは、全ての処理フラグについてチェックしたかを判定する。全ての処理フラグについてチェックした(ステップＳ１９のＹｅｓ)ときは、合成文書処理部１１０ａは、合成文書処理を終了する。また、全ての処理フラグについてチェックしていない(ステップＳ１９のＮｏ)ときは、合成文書処理部１１０ａは、処理Ｎｏ.のインデックス（Ｉ）に「１」を加算するステップＳ２０に進む。
【００３９】
（ステップＳ２０）
合成文書処理部１１０ａは、処理Ｎｏ．のインデックス（Ｉ）に「１」を加算し、ステップＳ１６に戻る。
【００４０】
図７は、本発明の実施の形態であるモード管理サーバ制御部２１０のモード決定処理部２１０ａが実行するモード決定処理の流れを示すフローチャートである。図７のモード決定処理フローチャートを参照して、モード決定処理手順を説明する。
【００４１】
モード管理サーバ２０のモード管理サーバネットワーク通信部２４０が、画像形成装置１０から合成文書の画像データを受信するとモード管理サーバ制御部２１０に通知する。そして、モード管理サーバ制御部２１０がモード決定処理部２１０ａに通知すると、モード決定処理部２１０ａは、モード決定処理を開始する。
【００４２】
（ステップＳ２１）
モード決定処理部２１０ａ、モード管理サーバネットワーク通信部２４０から合成文書の画像データを入力する。
【００４３】
（ステップＳ２２）
モード決定処理部２１０ａは、ステップＳ２１で入力した合成文書の画像データをガイドの外側に設けられている枠を識別して、ガイドの画像データと文書の画像データに分解する。
【００４４】
（ステップＳ２３）
モード決定処理部２１０ａは、ガイドの画像データに書き込まれている地紋や二次元バーコードからガイドの特徴を抽出する。
【００４５】
（ステップＳ２４）
モード決定処理部２１０ａは、図５に示すモード管理テーブル２２０ａのＮｏ．の順にガイド特徴画像データ保存エリアのアドレスを取り出し、そのアドレスに保存されているガイド特徴画像データをガイド特徴画像データ保存エリア２３０ａから取り出す。そして、ステップＳ２３で抽出したガイドの特徴と、ガイド特徴画像データが一致するかを判定し、一致するときはそのガイド特徴画像データが保存されていたガイド特徴画像データ保存エリアのアドレスに対応するモードを取り出す。
【００４６】
（ステップＳ２５）
モード決定処理部２１０ａは、ステップＳ２４で取り出したモードと、ステップＳ２２で分解した文書の画像データを画像形成装置１０に送信するために、モード管理サーバネットワーク通信部２４０にこれらのモードと文書の画像データを出力する。モード管理サーバネットワーク通信部２４０は、モード決定処理部２１０ａから出力されたモードと文書の画像データを画像形成装置１０に送信する。そして、モード決定処理部２１０ａは、モード決定処理を終了する。
【００４７】
以上の合成文書処理とモード決定処理により、合成文書のガイドの特徴に基づいてモード管理サーバ２０がモードを決定し、そのモードに対応したプログラムや機能を画像形成装置１０が実行するので、特定の文書に対して特定の処理を順番に実行することができる。
【００４８】
本実施の形態では、画像形成装置１０とモード管理サーバ２０から構成される実施の形態であるが、画像形成装置１０にモード管理サーバ２０の機能を搭載することで、モード管理サーバ２０を設置せずに本発明を実現することも可能である。
【００４９】
また、本実施の形態では、ガイドの画像データに書き込まれている地紋や二次元バーコードからガイドの特徴を抽出するようにしたが、ガイドの面積、ガイドの形状、及びガイドの特定部分の色や模様などから特徴を抽出することも可能である。
【００５０】
このような実施の形態によれば、画像形成装置に読み込まれた文書に対する処理を文書の特性に応じて処理するので、利用者毎に処理が異なることなく、また利用者が意識することなく適切な処理を行うことができる。
【００５１】
本実施の形態では、伝票モード、運転免許証モード、健康保健証モード、及びシールモードなど文書の種類毎にモードを設定したが、このような文書の種類によるモードだけでなく、その他の実施例としてセキュリティレベルによるモードを設定することも可能である。利用者が文書とその文書のセキュリティレベルに合ったガイドをセットし、画像形成装置１０に読み込ませることで、文書にセキュリティモードを設定することができる。このセキュリティモードにより処理を制限することができるので、セキュリティを尊守しなければならない文書を他の一般文書と認識してしまい、ＦＡＸやメールなどの機能で誤って送信してしまうことを防ぐことができる。
【産業上の利用可能性】
【００５２】
本発明は、画像形成装置における画像管理システムに好適であるが、画像形成装置以外の画像を処理できる電子機器の画像管理システムに応用が可能である。
【図面の簡単な説明】
【００５３】
【図１】本発明の実施の形態に係る画像管理システムの構成図である。
【図２】本発明の実施の形態に係る画像管理システムの機能ブロック図である。
【図３】本発明の実施の形態に係る処理リストテーブルの構成図である。
【図４】本発明の実施の形態に係るモード処理テーブルの構成図である。
【図５】本発明の実施の形態に係るモード管理テーブルの構成図である。
【図６】本発明の実施の形態に係る画像形成装置の合成文書処理を示すフローチャートである。
【図７】本発明の実施の形態に係るモード管理サーバのモード決定処理を示すフローチャートである。
【符号の説明】
【００５４】
１０・・・・画像形成装置
２０・・・・モード管理サーバ
３０・・・・ネットワーク
１１０・・・画像形成装置制御部
１１０ａ・・合成文書処理部
１２０・・・画像形成装置補助記憶部
１２０ａ・・処理リストテーブル
１２０ｂ・・モード処理テーブル
１３０・・・画像形成装置データ保存部
１３０ａ・・文書画像データ保存エリア
１４０・・・操作パネル
１５０・・・操作パネル処理部
１６０・・・原稿読取部
１７０・・・画像形成部
１８０・・・画像形成装置ネットワーク通信部
２１０・・・モード管理サーバ制御部
２１０ａ・・モード決定処理部
２２０・・・モード管理サーバ補助記憶部
２２０ａ・・モード管理テーブル
２３０・・・モード管理サーバデータ保存部
２３０ａ・・ガイド特徴画像データ保存エリア
２４０・・・モード管理サーバネットワーク通信部
【図１】
2010147821.tif 000003
【図２】
2010147821.tif 000004
【図３】
2010147821.tif 000005
【図４】
2010147821.tif 000006
【図５】
2010147821.tif 000007
【図６】
2010147821.tif 000008
【図７】
2010147821.tif 000009